(57)【要約】  システムは、モバイル機器と通信するように構成された通信インターフェースと、処理論理とを備えていてよい。処理論理は、財貨もしくはサービスに対する第１の支払いについて、モバイル機器がシステムに近接して位置するときに、モバイル機器から許可を受け取り、モバイル機器から許可を受け取った後でモバイル機器に通信を送るように構成されていてよく、通信は、モバイル機器がシステムに近接して位置しないときに送られる。処理論理は、通信に応答して第２の支払いについてモバイル機器から許可を受け取るようにさらに構成されていてよい。【選択図】図１
2014517379.tif 000002
【特許請求の範囲】
【請求項１】
トランザクション機器と、前記トランザクション機器に近接して位置するモバイル機器との間で通信リンクを確立する工程であって、前記トランザクション機器は財貨もしくはサービスを提供するエンティティと関連付けられている、リンクを確立する工程と、
前記トランザクション機器が、前記財貨もしくはサービスに対する第１の支払いについて前記モバイル機器から許可を受け取る工程と、
前記トランザクション機器が、前記モバイル機器から前記許可を受け取った後で前記モバイル機器に通信を送る工程であって、前記通信が送られるときに、前記モバイル機器は、前記トランザクション機器に近接して位置しない、前記通信を送る工程と、
前記トランザクション機器が、前記通信に応答して、第２の支払いについて前記モバイル機器から許可を受け取る工程と
を含む方法。
【請求項２】
前記リンクを確立する工程は近距離通信リンクを確立する工程を含む、請求項１に記載の方法。
【請求項３】
前記通信を送る工程は、
前記モバイル機器にテキストベースのメッセージを送る工程を含む、請求項１または２に記載の方法。
【請求項４】
前記テキストベースのメッセージは、ショート・メッセージ・サービス・メッセージまたは電子メールメッセージのうちの少なくとも１つを含む、請求項１〜３のいずれか一項に記載の方法。
【請求項５】
前記通信を送る工程は、
前記モバイル機器にオーディオメッセージを送る工程を含む、請求項１〜４のいずれか一項に記載の方法。
【請求項６】
前記トランザクション機器が、前記第１の支払いが期限と関連付けられているかどうか判定する工程と、
前記第１の支払いが期限と関連付けられていると判定したことに応答して前記通信を生成する工程とをさらに含み、
前記通信を送る前記工程は、
前記期限に先立って前記生成された通信を送る工程を含む、請求項１〜５のいずれか一項に記載の方法。
【請求項７】
前記トランザクション機器が、第２の財貨もしくはサービスを識別する工程をさらに含み、
前記送る工程は、
前記第２の財貨もしくはサービスを識別したことに応答して、前記第１の支払いについての許可を受け取ってから所定の時間後に前記モバイル機器に前記通信を送る工程を含む、請求項１〜６のいずれか一項に記載の方法。
【請求項８】
前記所定の時間は、前記第１の支払いと関連付けられた前記財貨もしくはサービスを閲覧し、または再生する時間長と関連付けられた少なくとも１つの時間量を含む、請求項１〜７のいずれか一項に記載の方法。
【請求項９】
前記トランザクション機器が、前記モバイル機器と関連付けられた電話番号または電子メールアドレスを識別する工程をさらに含み、
前記送る工程は、
前記識別された電話番号または電子メールアドレスに前記通信を送る工程を含む、請求項１〜８のいずれか一項に記載の方法。
【請求項１０】
前記モバイル機器は携帯電話を含む、請求項１〜９のいずれか一項に記載の方法。
【請求項１１】
モバイル機器と通信するように構成された通信インターフェースと、
処理論理と
を備え、前記処理論理は、
財貨もしくはサービスに対する第１の支払いについて、前記モバイル機器がシステムに近接して位置するときに、前記モバイル機器から許可を受け取り、
前記モバイル機器から前記許可を受け取った後で前記モバイル機器に通信を送るように構成されており、前記通信が送られるときに、前記モバイル機器はシステムに近接して位置せず、
前記処理論理は、
前記通信に応答して第２の支払いについて前記モバイル機器から許可を受け取るように構成されている、システム。
【請求項１２】
前記通信インターフェースは近距離通信インターフェースを含む、請求項１１に記載のシステム。
【請求項１３】
前記処理論理は、
前記財貨もしくはサービス、または前記財貨もしくはサービスと関連付けられた時間の少なくとも１つに基づいてテキストベースの通信を生成するようにさらに構成されており、
通信を送るときに、前記処理論理は、
前記モバイル機器に前記テキストベースのメッセージを送るように構成されている、請求項１１または１２に記載のシステム。
【請求項１４】
前記テキストベースのメッセージは、ショート・メッセージ・サービス・メッセージまたは電子メールメッセージのうちの少なくとも１つを含む、請求項１１〜１３のいずれか一項に記載のシステム。
【請求項１５】
通信を送るときに、前記処理論理は、
前記モバイル機器にオーディオメッセージを送るように構成されている、請求項１１〜１４のいずれか一項に記載のシステム。
【請求項１６】
前記処理論理は、
前記第１の支払いが期限と関連付けられていると判定したことに応答して前記通信を生成するようにさらに構成されており、
前記通信を送るときに、前記処理論理は、
前記期限に先立って前記生成された通信を送るように構成されている、請求項１１〜１５のいずれか一項に記載のシステム。
【請求項１７】
前記処理論理は、
前記第１の支払いがそれについて許可された前記財貨もしくはサービスと関連付けられた第２の財貨もしくはサービスを識別するようにさらに構成されており、
送るときに、前記処理論理は、
前記第１の支払いについての許可を受け取ってから所定の時間後に前記モバイル機器に前記通信を送るように構成されており、前記通信は前記第２の財貨もしくはサービスを識別するものである、請求項１１〜１６のいずれか一項に記載のシステム。
【請求項１８】
前記処理論理は、
前記モバイル機器がシステムに近接して位置するときに、前記モバイル機器と関連付けられた電話番号または電子メールアドレスを自動的に識別するようにさらに構成されており、
送るときに、前記処理論理は、
前記識別された電話番号または電子メールアドレスに前記通信を送るように構成されている、請求項１１〜１７のいずれか一項に記載のシステム。
【請求項１９】
前記モバイル機器のユーザのアカウントと関連付けられた課金情報を記憶するように構成されたメモリをさらに備え、
前記処理論理は、
前記課金情報を使用して前記財貨もしくはサービスを提供すべきかどうか判定するようにさらに構成されている、請求項１１〜１８のいずれか一項に記載のシステム。
【請求項２０】
命令のシーケンスが記憶されたコンピュータ可読メモリデバイスであって、前記命令は、少なくとも１つのプロセッサによって実行されると、前記少なくとも１つのプロセッサに、
財貨もしくはサービスの提供と関連付けられたシステムに近接して位置するモバイル機器と通信させ、
前記財貨もしくはサービスの購入、または受け取りについての前記モバイル機器からの許可を受け取らせ、
前記モバイル機器から前記許可を受け取った後で前記モバイル機器に通信を送らせ、前記通信は、前記モバイル機器が前記システムに近接して位置しないときに送られ、
前記命令は、前記少なくとも１つのプロセッサに、
前記通信に応答して支払いについて前記モバイル機器から許可を受け取らせる
ものである、コンピュータ可読メモリデバイス。
【発明の詳細な説明】
【技術分野】
【０００１】
本発明は一般に支払い処理に関し、より詳細には、ユーザに追加の支払いまたは追い掛けの支払いを促すために督促メッセージを提供することに関する。
【背景技術】
【０００２】
様々な財貨もしくはサービスに対する支払いは、多くの場合、電子的手段によって行われる。例えば、支払いは、電話で、またはコンピュータにより、小売商または商人に適切なクレジットカード番号またはデビットカード番号を提供することによって行われうる。そのような電子的支払いの使用は、顧客が財貨およびサービスを購入することを容易にしている。
【発明の概要】
【０００３】
一態様によれば、方法が提供される。方法は、トランザクション機器と、トランザクション機器に近接して位置するモバイル機器との間で通信リンクを確立する工程を含み、トランザクション機器は財貨もしくはサービスを提供するエンティティと関連付けられている。また方法は、トランザクション機器が、財貨もしくはサービスに対する第１の支払いについてモバイル機器から許可を受け取る工程と、トランザクション機器が、モバイル機器から許可を受け取った後でモバイル機器に通信を送る工程であって、通信が送られるときに、モバイル機器はトランザクション機器に近接して位置しない、通信を送る工程とを含む。方法は、トランザクション機器が、通信に応答して、第２の支払いについてモバイル機器から許可を受け取る工程をさらに含む。
【０００４】
加えて、リンクを確立する工程は、近距離通信リンクを確立する工程を含んでいてもよい。
【０００５】
加えて、通信を送る工程は、モバイル機器にテキストベースのメッセージを送る工程を含んでいてもよい。
【０００６】
加えて、テキストベースのメッセージは、ショート・メッセージ・サービス・メッセージまたは電子メールメッセージのうちの少なくとも１つを含んでいてもよい。
【０００７】
加えて、通信を送る工程は、モバイル機器にオーディオメッセージを送る工程を含んでいてもよい。
【０００８】
加えて、方法は、トランザクション機器が、第１の支払いが期限と関連付けられているかどうか判定する工程と、第１の支払いが期限と関連付けられていると判定したことに応答して通信を生成する工程とをさらに含んでいてもよい。また、通信を送る工程は、期限に先立って生成された通信を送る工程を含んでいてもよい。
【０００９】
加えて、方法は、トランザクション機器が、第２の財貨もしくはサービスを識別する工程をさらに含んでいてもよく、送る工程は、第２の財貨もしくはサービスを識別したことに応答して、第１の支払いについての許可を受け取ってから所定の時間後にモバイル機器に通信を送る工程を含んでいてもよい。
【００１０】
加えて、所定の時間は、第１の支払いと関連付けられた財貨もしくはサービスを閲覧し、または再生する時間長と関連付けられた少なくとも１つの時間量を含んでいてもよい。
【００１１】
加えて、方法は、トランザクション機器が、モバイル機器と関連付けられた電話番号または電子メールアドレスを識別する工程をさらに含んでいてもよく、送る工程は、識別された電話番号または電子メールアドレスに通信を送る工程を含んでいてもよい。
【００１２】
加えて、モバイル機器は携帯電話を含んでいてもよい。
【００１３】
別の態様によれば、システムが提供される。システムは、モバイル機器と通信するように構成された通信インターフェースと、処理論理とを備える。処理論理は、財貨もしくはサービスに対する第１の支払いについて、モバイル機器がシステムに近接して位置するときに、モバイル機器から許可を受け取り、モバイル機器から許可を受け取った後でモバイル機器に通信を送るように構成されており、通信が送られるときに、モバイル機器は、システムに近接して位置しない。通信論理は、通信に応答して第２の支払いについてモバイル機器から許可を受け取るようにさらに構成されている。
【００１４】
加えて、通信インターフェースは、近距離通信インターフェースを含んでいてもよい。
【００１５】
加えて、処理論理は、財貨もしくはサービス、または財貨もしくはサービスと関連付けられた時間のうちの少なくとも１つに基づいてテキストベースの通信を生成するようにさらに構成されていてもよく、通信を送るときに、処理論理は、モバイル機器にテキストベースのメッセージを送るように構成されていてもよい。
【００１６】
加えて、テキストベースのメッセージは、ショート・メッセージ・サービス・メッセージまたは電子メールメッセージのうちの少なくとも１つを含んでいてもよい。
【００１７】
加えて、通信を送るときに、処理論理は、モバイル機器にオーディオメッセージを送るように構成されていてもよい。
【００１８】
加えて、処理論理は、第１の支払いが期限と関連付けられていると判定したことに応答して通信を生成するようにさらに構成されていてもよく、通信を送るときに、処理論理は、期限に先立って生成された通信を送るように構成されていてもよい。
【００１９】
加えて、処理論理は、第１の支払いがそれについて許可された財貨もしくはサービスと関連付けられた第２の財貨もしくはサービスを識別するようにさらに構成されていてもよく、送るときに、処理論理は、第１の支払いについての許可を受け取ってから所定の時間後にモバイル機器に通信を送るように構成されていてもよく、通信は第２の財貨もしくはサービスを識別する。
【００２０】
加えて、処理論理は、モバイル機器がシステムに近接して位置するときに、モバイル機器と関連付けられた電話番号または電子メールアドレスを自動的に識別するようにさらに構成されていてもよく、送るときに、処理論理は、識別された電話番号または電子メールアドレスに通信を送るように構成されていてもよい。
【００２１】
加えて、システムは、モバイル機器のユーザのアカウントと関連付けられた課金情報を記憶するように構成されたメモリをさらに備えていてもよく、処理論理は、課金情報を使用して財貨もしくはサービスを提供すべきかどうか判定するようにさらに構成されていてもよい。
【００２２】
別の態様によれば、命令のシーケンスが記憶されたコンピュータ可読メモリデバイスが提供される。命令は、少なくとも１つのプロセッサによって実行されると、少なくとも１つのプロセッサに、財貨もしくはサービスの提供と関連付けられたシステムに近接して位置するモバイル機器と通信させ、財貨もしくはサービスの購入、または受け取りについての前記モバイル機器からの許可を受け取らせる。また命令は、プロセッサに、モバイル機器から許可を受け取った後でモバイル機器に通信を送らせ、通信は、モバイル機器がシステムに近接して位置しないときに送られるものであり、命令はプロセッサに、通信に応答して支払いについてモバイル機器から許可を受け取らせる。
【図面の簡単な説明】
【００２３】
添付の図面を参照する。図面において同じ参照番号指定を有する要素は全体を通して類似の要素を表しうるものである。
【００２４】
【図１】本明細書で説明するシステムおよび方法が実施されうる例示的ネットワークを示す図である。
【図２】図１の機器のうちの１台もしくは複数で実施される構成要素の例示的構成を示す図である。
【図３】図１の機器のうちの１台によって実施される論理構成要素の例示的構成を示す図である。
【図４】図１のネットワークと関連付けられた例示的処理を示す流れ図である。
【図５】例示的実施態様による図１のユーザ機器に提供される例示的メッセージを示す図である。
【発明を実施するための形態】
【００２５】
以下の本発明の詳細な説明では添付の図面を参照する。異なる図面中の同じ参照番号は同じ要素または類似の要素を識別するものである。また、以下の詳細な説明は本発明を限定するものではない。そうではなく、本発明の範囲は添付の特許請求の範囲およびその均等物により定義される。
例示的システム
【００２６】
図１は、本明細書で説明するシステムおよび方法が実施されうる例示的ネットワーク１００のブロック図である。ネットワーク１００は、ユーザ機器１１０、トランザクション機器１２０、およびネットワーク１３０を含みうる。
【００２７】
ユーザ機器１１０は、小売商または売り手から購入を行うなど、トランザクションに参加しようとする当事者と関連付けられた機器を表しうる。例えば、ユーザ機器１１０は、無線もしくはセルラ式電話機器（データ処理機能を有する従来の携帯電話など）、スマートフォン、無線電話機を含むことのできる携帯情報端末（ＰＤＡ：ｐｅｒｓｏｎａｌ  ｄｉｇｉｔａｌ  ａｓｓｉｓｔａｎｔ）などといったモバイル機器または端末を含んでいてよい。別の実施態様では、ユーザ機器１１０は、通信機能を含みうるパーソナルコンピュータ（ＰＣ：ｐｅｒｓｏｎａｌ  ｃｏｍｐｕｔｅｒ）、ラップトップ、タブレットコンピュータ、ノートブック、メディアもしくはゲーム再生機器などといった任意の種類のモバイルコンピュータ機器またはシステムを含みうる。
【００２８】
ユーザ機器１１０は、有線接続、無線接続、光接続といった任意の従来の技法によって、ネットワーク１３０、およびネットワーク１００内の他の機器（トランザクション機器１２０など）に接続しうる。簡潔にするために、以下の説明では、ユーザ機器１１０およびユーザ機器１１０と関連付けられた人（ユーザ機器１１０を保持し、または使用する当事者など）をまとめてユーザ機器１１０と呼ぶこともある。
【００２９】
トランザクション機器１２０は、商人や、トランザクション機器１２０と関連付けられた他のエンティティからのユーザ機器１１０による財貨もしくはサービスの購入といったトランザクションに参加する１台もしくは複数のコンピューティング機器および／またはサーバを表しうる。例えば、トランザクション機器１２０は、売場にある金銭登録機または小売販売時点システムや、ユーザ機器１１０から支払い情報および／または他の情報を受け取ることのできる別の機器／システムを含んでいてよい。一例示的実施態様では、トランザクション機器１２０は、トランザクションが行われているときに有線機構または無線機構によってユーザ機器１１０と通信しうると共に、以下で詳細に説明するように、最初のトランザクションが完了された後でユーザに追加の支払い許可を促すためにユーザ機器１１０と通信しうる。
【００３０】
ネットワーク１３０は、データ信号、音声信号、および／またはビデオ信号を送受信することのできる１つもしくは複数の有線ネットワーク無線ネットワーク、および／または光ネットワークを含みうる。例えば、ネットワーク１３０は、１つもしくは複数の公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）または他の種類の交換網を含んでいてよい。またネットワーク１３０は、１つもしくは複数の無線ネットワークも含んでいてよく、無線信号を受信し、その無線信号を意図される宛先へ向けて転送するための何台かの送電塔を含んでいてよい。ネットワーク１３０は、１つもしくは複数の衛星ネットワーク、１つもしくは複数のパケット交換網、例えば、インターネットプロトコル（ＩＰ：Ｉｎｔｅｒｎｅｔ  ｐｒｏｔｏｃｏｌ）ベースのネットワーク、ローカル・エリア・ネットワーク（ＬＡＮ：ｌｏｃａｌ  ａｒｅａ  ｎｅｔｗｏｒｋ）、広域ネットワーク（ＷＡＮ：ｗｉｄｅ  ａｒｅａ  ｎｅｔｗｏｒｋ）、パーソナル・エリア・ネットワーク（ＰＡＮ：ｐｅｒｓｏｎａｌ  ａｒｅａ  ｎｅｔｗｏｒｋ）、ＷｉＦｉネットワーク、Ｂｌｕｅｔｏｏｔｈネットワーク、イントラネット、インターネット、データを伝送することのできる別の種類のネットワークなどをさらに含んでいてよい。
【００３１】
図１に示す例示的構成は、簡潔にするために提示するものである。典型的なネットワークは図１に示すものより多数の機器を含む場合も少数の機器を含む場合もあることを理解すべきである。例えば、ネットワーク１００は、何千台ものユーザ機器１１０、およびトランザクションを行うためのトランザクション機器１２０を含んでいてよい。加えて、ネットワーク１００は、ネットワーク１００におけるトランザクションの実行を支援する他の機器／システムも含んでいてよい。例えば、ネットワーク１００は、ユーザ機器１１０とトランザクション機器１２０との間のトランザクションを承認することと関連付けられた１つもしくは複数のエンティティ、例えば、ユーザ機器１１０と関連付けられた当事者が特定の品物を購入するのに十分な資金を有しているかどうか判定するクレジットカード会社またはデビットカード会社の処理システムなどを含んでいてよい。さらに、ネットワーク１００は、データの経路指定を支援するスイッチ、ゲートウェイ、ルータなどといったさらに別の要素も含みうる。
【００３２】
加えて、以下では、ネットワーク１００内の個々の構成要素によって実行される様々な機能も説明する。別の実施態様では、ある機器によって実行されるものとして説明される様々な機能が別の機器または多数の他の機器によっても実行されてもよく、かつ／または、複数の機器によって実行されるものとして説明される様々な機能が組み合わされ、１台の機器によって実行されてもよい。
【００３３】
図２は、例示的実施態様によるユーザ機器１１０の構成要素を示す図である。トランザクション機器１２０も同様に構成されうる。ユーザ機器１１０（またはトランザクション機器１２０）は、バス２１０、プロセッサ２２０、メモリ２３０、入力装置２４０、出力装置２５０および通信インターフェース２６０を含みうる。バス２１０は、ユーザ機器１１０の構成要素間の通信を可能にする。ユーザ機器１１０／トランザクション機器１２０はいくつかの他のやり方で構成されてもよく、他の要素または異なる要素を含んでいてもよいことを当分野の技術者は理解するはずである。例えば、ユーザ機器１１０／トランザクション機器１２０は、データを処理するための１つもしくは複数の変調器、復調器、符号器、復号器などを含んでいてよい。
【００３４】
プロセッサ２２０は、プロセッサ、マイクロプロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）または他の処理論理を含みうる。プロセッサ２２０は、ユーザ機器１１０の動作を制御するためにソフトウェア命令／プログラムまたはデータ構造を実行しうる。
【００３５】
メモリ２３０は、プロセッサ２２０による実行のための情報および命令を記憶するランダム・アクセス・メモリ（ＲＡＭ：ｒａｎｄｏｍ  ａｃｃｅｓｓ  ｍｅｍｏｒｙ）もしくは別の種類の動的記憶装置、プロセッサ２２０が使用するための静的情報および命令を記憶する読取り専用メモリ（ＲＯＭ：ｒｅａｄ  ｏｎｌｙ  ｍｅｍｏｒｙ）もしくは別の種類の静的記憶装置、情報および命令を記憶するためのフラッシュメモリ（電気的消去書込み可能読取り専用メモリ（ＥＥＰＲＯＭ）などの）デバイス、ハード・ディスク・ドライブ（ＨＤＤ：ｈａｒｄ  ｄｉｓｋ  ｄｒｉｖｅ）、ならびに／または他の種類の磁気もしくは光学記録媒体およびそれに対応するドライブを含みうる。またメモリ２３０は、プロセッサ２２０による命令の実行中に一時変数または他の中間情報を記憶するのに使用されてもよい。プロセッサ２２０によって使用される命令は、さらに、または代替として、プロセッサ２２０がアクセスすることのできる別の種類のコンピュータ可読媒体に記憶されてもよい。コンピュータ可読媒体は、１つもしくは複数のメモリデバイスを含みうる。
【００３６】
入力装置２４０は、オペレータがユーザ機器１１０に情報を入力することを可能にする機構、例えば、マイクロフォン、キーパッド、コントロールボタン、キーボード（ＱＷＥＲＴＹ配列のキーボード、Ｄｖｏｒａｋ配列のキーボードなど）、身ぶりベースの装置、光学式文字認識（ＯＣＲ：ｏｐｔｉｃａｌ  ｃｈａｒａｃｔｅｒ  ｒｅｃｏｇｎｉｔｉｏｎ）ベースの装置、ジョイスティック、タッチベースの装置、仮想キーボード、音声・テキスト変換エンジン、マウス、ペン、スタイラス、音声認識および／またはバイオメトリクス機構などを含みうる。出力装置２５０は、ユーザに情報を出力する１つもしくは複数の機構、例えば、ディスプレイ、プリンタ、１台もしくは複数のスピーカなどを含みうる。一例示的実施態様では、ユーザ機器１１０は、入力装置としても出力装置としても機能するタッチ・スクリーン・ディスプレイ（液晶ディスプレイ（ＬＣＤ：ｌｉｑｕｉｄ  ｃｒｙｓｔａｌ  ｄｉｓｐｌａｙ）など）を含みうる。
【００３７】
通信インターフェース２６０は、ユーザ機器１１０が他の機器および／またはシステムと通信することを可能にする１台もしくは複数の送受信機を含みうる。例えば、通信インターフェース２６０は、モデム、またはＬＡＮへのイーサネットインターフェースを含んでいてよい。また通信インターフェース２６０は、無線ネットワークといったネットワークを介して通信するための機構も含んでいてよい。例えば、通信インターフェース２６０は、１台もしくは複数の無線周波数（ＲＦ：ｒａｄｉｏ  ｆｒｅｑｕｅｎｃｙ）送信機、受信機および／または送受信機、ならびにネットワークを介してＲＦデータを送受信するための１つもしくは複数のアンテナを含んでいてよい。
【００３８】
一例示的実施態様では、通信インターフェース２６０は、ユーザ機器１１０がトランザクション機器１２０に近接しているときにユーザ機器１１０がトランザクション機器１２０（または他の機器）と通信することを可能にする近距離通信（ＮＦＣ：ｎｅａｒ  ｆｉｅｌｄ  ｃｏｍｍｕｎｉｃａｔｉｏｎ）インターフェース／システムを含む。例えば、ＮＦＣシステムは、類似のＮＦＣインターフェース／システムを含む別の機器（トランザクション機器１２０など）との短距離データ交換を可能にする、短距離高周波数システムを含んでいてよい。例えば、一実施態様では、ユーザ機器１１０内のＮＦＣインターフェース／システムは、ユーザ機器１１０がトランザクション機器１２０から０〜２０センチメートル（ｃｍ）に及ぶ距離に位置するときに、トランザクション機器１２０内の類似のＮＦＣインターフェース／システムと通信しうる。
【００３９】
ユーザ機器１１０は、ユーザがユーザ機器１１０と支払いプロセッサとの間で確立されたセキュアなリンクを介して支払いを行うためのプラットフォームを提供すると共に、追い掛けの支払いに関する通信（電話通話、電子メール、テキストメッセージ、マルチメディアメッセージ、ショート・メッセージ・サービス（ＳＭＳ：ｓｈｏｒｔ  ｍｅｓｓａｇｅ  ｓｅｒｖｉｃｅ）など）を受け取ることができる。トランザクション機器１２０は、小売商またはサービス提供者が、トランザクション機器１２０とユーザ機器１１０との間で確立されたセキュアなリンクを介して支払い情報を受け取るためのプラットフォームを提供すると共に、追い掛けの支払いに関してユーザ機器１１０に通信（電話通話、電子メール、テキストメッセージ、マルチメディアメッセージ、ショート・メッセージ・サービス（ＳＭＳ）メッセージなど）を送ることができる。
【００４０】
ユーザ機器１１０およびトランザクション機器１２０は、これらそれぞれのプロセッサ２２０が、メモリ２３０といったコンピュータ可読媒体に含まれる命令シーケンスを実行したことに応答して、これらの動作を実行しうる。そのような命令は、例えば、通信インターフェース２６０を介して別のコンピュータ可読媒体からメモリ２３０に読み込まれてもよい。代替の実施形態では、本発明と適合したプロセスを実施するのに、配線による回路が、ソフトウェア命令の代わりに、またはソフトウェア命令と組み合わせて使用されうる。よって、本明細書で説明する実施態様は、ハードウェア回路とソフトウェアとのいかなる特定の組み合わせにも限定されるものではない。
【００４１】
図３は、図２のトランザクション機器１２０で実施された構成要素の例示的ブロック図である。一例示的実施態様では、図３に示す構成要素の一部または全部が、トランザクション機器１２０のメモリ２３０に記憶され、プロセッサ２２０によって実行されうる。例えば、トランザクション機器１２０のメモリ２３０は、プロセッサ２２０によって実行されるトランザクション制御プログラム３００を記憶していてよい。
【００４２】
トランザクション制御プログラム３００は、通信論理３１０、支払い論理３２０、および制御論理３３０を含みうる。トランザクション制御プログラム３００およびその様々な論理構成要素は、図３では、トランザクション機器１２０内に含まれるものとして図示されている。代替の実施態様では、これらの構成要素またはこれらの構成要素の一部分が、トランザクション機器１２０に対して外部に、例えば、ネットワーク１３０を介してアクセス可能なサーバ装置上に位置していてもよい。
【００４３】
通信論理３１０は、ネットワーク１００内の他の機器との通信のための論理を含みうる。例えば、通信論理３１０は、有線機構または無線機構を介してユーザ機器１１０に情報を送り、かつ／またはユーザ機器１１０から情報を受け取ってもよい。一実施態様では、通信論理３１０は、ユーザ機器１１０内のＮＦＣインターフェースと通信するＮＦＣインターフェースを含みうる。
【００４４】
支払い論理３２０は、支払い許可情報を受け取り、特定の財貨もしくはサービスを提供すべきかどうか判定する論理を含みうる。例えば、支払い論理３２０は、外部機器／システムに、ユーザ機器１１０と関連付けられた顧客がその顧客の口座に、その顧客が購入しようとする製品またはサービスに対する支払いに十分な資金または信用を有するかどうか判定するよう合図してもよい。このように、支払い論理３２０は、トランザクション機器１２０が、トランザクションを実行するための販売時点端末として動作することを可能にしうる。
【００４５】
制御論理３３０は、トランザクション制御プログラム３００の動作を制御する論理を含みうる。例えば、制御論理３３０は、最初の支払いが受け取られた後で後続の支払いが必要とされうるかどうか判定してもよい。一例として、トランザクション機器１２０は、駐車場または車庫での駐車に対する支払いを受け取ることと関連付けられていてもよい。この場合、制御論理３３０は、顧客の駐車時間が間もなく満了する（例えば、パーキングメータが間もなく満了する）と判定し、以下でより詳細に説明するように、駐車時間／パーキングメータの満了に先立ち追加の駐車時間分を支払うようユーザに問い合わせ、または促す、ユーザ機器１１０に送るべき通信を生成しうる。
【００４６】
図４に、ネットワーク１００におけるトランザクションの処理と関連付けられた例示的処理を示す。処理は、ユーザ機器１１０と関連付けられた当事者（本明細書では顧客ともいう）が、トランザクションを開始するためにトランザクション機器１２０とインターフェースすることから開始しうる。例えば、顧客は、ユーザ機器１１０を介して、トランザクション機器１２０と関連付けられた購入を行い、またはトランザクション機器１２０と関連付けられたサービスに対して支払おうとしうる。
【００４７】
この例では、トランザクション機器１２０は、顧客がトランザクション機器１２０とインターフェースすることによって電子的に駐車に対する支払いを行いうる駐車場または車庫と関連付けられているものと仮定する。例えば、トランザクション機器１２０は、駐車場／車庫への入口のところに位置するキオスク内に含まれていてもよく、パーキングメータなどに含まれていてもよい。この例を続けて、トランザクション制御プログラム３００の通信論理３１０は、ＮＦＣインターフェースを含むユーザ機器１１０とのリンクを形成することのできるＮＦＣインターフェースを含みうる。この場合、ユーザ機器１１０は、トランザクション機器１２０に近づけられる携帯電話であり、ユーザ機器１１０の通信インターフェース２６０は、トランザクション制御プログラム３００の通信論理３１０（ＮＦＣインターフェースなど）とのリンクを確立する（ブロック４１０）ものと仮定する。
【００４８】
例えば、顧客はユーザ機器１１０を、トランザクション機器１２０に近接して配置してよく、例えば、ユーザ機器１１０をトランザクション機器１２０から１〜２０センチメートル（ｃｍ）に及ぶ距離のところに配置してよい。場合によっては、リンクは、ユーザ機器１１０がトランザクション機器１２０と物理的に接触するときに確立されてもよい。いずれにせよ、ユーザ機器１１０がトランザクション機器１２０に対して所定の近接状態に置かれたときに、通信論理３１０は、ユーザ機器１１０を検出し、ユーザ機器１１０に、顧客が、ナンバープレートの番号、車両登録番号などといった識別子を、顧客が駐車しようとする所望の期間と共に入力するよう要求する通信を送ることができる。ユーザ機器１１０は、通信を受け取り、出力装置２５０（ユーザ機器１１０のＬＣＤなど）によって通信を表示しうる。
【００４９】
顧客は、所望の情報を提供し、ユーザ機器１１０はその情報を、ＮＦＣリンクを介してトランザクション機器１２０に送ることができる。トランザクション機器１２０の通信論理３１０は、顧客の情報を受け取ることができる。ある実施態様では、通信論理３１０は、ユーザ機器１１０の電話番号またはユーザ機器上に記憶された他の通信関連情報（顧客の電子メールアドレスなど）を自動的に検出し、または識別しうる。いずれの場合も、トランザクション制御プログラム３００の支払い論理３２０は、所望の駐車時間に対する料金を計算しうる。トランザクション機器１２０は、ＮＦＣリンクを介して計算された料金をユーザ機器１１０に伝え、計算された料金を顧客に請求するための許可を要求しうる。ユーザ機器１１０は通信を受け取り、出力装置２５０（ＬＣＤなど）によって表示用の情報を出力する。
【００５０】
この場合、ユーザは料金を承認し、駐車料金についてトランザクション機器１２０に許可を送るものと仮定する。ある実施態様では、ユーザ機器１１０は、ユーザ機器１１０とトランザクション機器１２０との間で確立されたＮＦＣリンクを介してトランザクション機器１２０に顧客のクレジットカード情報を送ってもよい。いずれの場合も、トランザクション機器１２０は、支払い許可を受け取る（ブロック４２０）ものと仮定する。トランザクション制御プログラム３００内の支払い論理３２０は、支払いサーバ（図１には不図示）と通信して、ユーザがトランザクションに十分な資金／信用を有するかどうか判定しうる。この場合、トランザクションは受け入れられる（例えばトランザクションに十分な資金が存在する）ものと仮定する。トランザクション機器１２０は、ＮＦＣリンクを介してユーザ機器１１０に受諾を伝えることができる（ブロック４２０）。
【００５１】
最初のトランザクションの時間的に後で、トランザクション制御プログラム３００は、さらなる支払いが必要とされるかどうか判定しうる（ブロック４３０）。例えば、上記の例を続けて、顧客はトランザクション機器１２０から２時間分の駐車時間を購入しているものと仮定する。さらに、ユーザが駐車の支払いを行ってから１時間と５０分が経過しているものと仮定する。ある実施形態では、制御論理３３０は、顧客の車がまだ駐車場または車庫に駐車されているという判定も行いうる。例えば、トランザクション機器１２０は、例えば、駐車場／車庫を出るのに使用されるパーキングチケットと関連付けられた入力によって、顧客の車がまだ駐車されているかどうか判定するパーキングメータ／パーキングスペースに位置するカメラと関連付けられた存在指示器によってなど、顧客の車が駐車場／車庫／パーキングスペースを出たときの指示を受け取ってもよい。  
【００５２】
いずれにしても、制御論理３３０は、顧客の車がまだ駐車場／車庫／パーキングスペースに駐車されていると判定するものと仮定する。さらに、制御論理３３０は、顧客の駐車時間が１０分で満了することになり、さらなる支払いが必要とされると判定する（ブロック４３０−はい）ものと仮定する。制御論理３３０は、次いで、ユーザ機器１１０に、さらなる支払いが必要とされることを指示する通信を送ることができる（ブロック４４０）。
【００５３】
例えば、制御論理３３０は、ユーザの駐車時間／パーキングメータが１０分で満了することを指示するためにユーザ機器１１０に、ショート・メッセージ・サービス（ＳＭＳ）メッセージといったテキストベースのメッセージを送ってもよい。またＳＭＳメッセージは、ユーザが追加の駐車時間（例えばもう１時間またはそれ以上）分の支払いをしたいかどうか問い合わせてもよい。ユーザ機器１１０はテキストメッセージを受け取ることができ、出力装置２５０は表示用のメッセージを出力することができる。
【００５４】
例えば、図５に、メッセージが表示されたユーザ機器１１０を示す。この実施態様では、ユーザ機器１１０は、ハウジング５１０、スピーカ５２０、マイクロフォン５３０およびディスプレイ５４０を含む携帯電話である。ハウジング５１０は、ユーザ機器１１０の構成要素を外部要素から保護しうる。スピーカ５２０は、ユーザ機器１１０のユーザに可聴情報を提供しうる。マイクロフォン５３０は、ユーザ機器１００のユーザから可聴情報を受け取りうる。ディスプレイ５４０はユーザに視覚情報を提供しうる。
【００５５】
例えば、図５を参照すると、ディスプレイ５４０は、「あなたの車庫Ａでの駐車時間は間もなく満了します。追加時間分の支払いをしますか？」というトランザクション機器１２０から送られたテキストメッセージを出力しうる。
【００５６】
顧客は、メッセージを確認し、応答を提供することができる。例えば、顧客は、顧客が追加の駐車時間分の支払いをしたいことを指示するトランザクション機器１２０への返信テキストメッセージ（ＳＭＳメッセージなど）を送ってもよい。ある実施態様では、トランザクション機器１２０は、顧客がその分を支払いたい追加時間の時間長に関してさらに問い合わせてよい。この場合、トランザクション機器１２０は、顧客に特定の時間長（１時間など）を入力するよう促すユーザ機器への追加メッセージを提供し、各増分時間長と関連付けられた費用（３．００ドル／時など）を提供してよい。
【００５７】
この例では、トランザクション機器１２０は追加駐車時間を購入するためのユーザ機器１１０からの受諾および許可を受け取る（ブロック４５０）ものと仮定する。トランザクション制御プログラム３００の支払い論理３２０は、次いで、以前に提供されたアカウント情報に適切な料金を請求しうる（ブロック４６０）。例えば、一実施態様では、支払い論理３２０は、（例えばＮＦＣリンクを介して）最初の購入時にユーザ機器１１０からトランザクション機器１２０に伝えられた支払い情報（顧客のクレジットカード番号やデビットカード番号など）を一時的に記憶していてもよい。その結果、顧客が追加支払いを許可するときに、トランザクション機器１２０は、保護されていないネットワーク上で送られざるをえないはずのいかなる個人情報（クレジットカード情報やデビットカード情報など）も要求しなくて済むことになる。このように、さらなる支払いは、以前に記憶された情報を使用して処理され、顧客にセキュリティの向上を提供しうる。加えて、トランザクション機器１２０内の一時的に記憶された支払い情報は、所定の期間後に削除されてもよい。
【００５８】
支払い情報がトランザクション機器１２０に記憶される特定の時間長は、トランザクションの種類に基づいて決定されてよい。例えば、駐車場の場合には、顧客の支払い情報は、２時間から８時間に及ぶ期間にわたって保存されてもよい。別の例では、ユーザ機器１１０の顧客は、トランザクション機器１１０とやりとりして特定の時間長を設定してよい。
【００５９】
このように、顧客は、セキュアなリンク（ＮＦＣリンクなど）上でトランザクション機器１１０との通信を確立し、セキュアなリンクを介して支払い情報を提供しうる。それ以後トランザクション機器１２０は、顧客に、非公開の顧客情報を要求せずにその後の支払いを促すことができる。
【００６０】
別の例として、トランザクション機器１２０は、顧客の自宅、ホテルの部屋などのテレビまたはコンピュータにペイパービュー番組出力を提供することと関連付けられていてもよい。この場合、顧客が料金の支払いを必要とする映画、スポーツイベント、テレビ番組を視聴しようとするときに、顧客はユーザ機器１１０を、セット・トップ・ボックス、または番組を制御するのに使用される他の機器とすることのできるトランザクション機器１２０の近く（例えば１〜２０ｃｍ）に近づけて、ＮＦＣリンクを介して支払いを開始することができる。支払い情報がトランザクション機器１２０に送られた後で、顧客はペイパービュー番組を視聴してよい。
【００６１】
番組の終了時に、トランザクション制御プログラム３００の制御論理３３０は、顧客が見たいと思う可能性のある最初の番組と関連付けられうる他の番組を識別しうる。例えば、制御論理３３０は、最初の映画の続編といった別の映画や、テレビシリーズの次の回などを識別してもよい。制御論理３３０は、次いで、顧客が識別されたプログラムを注文したいかどうか問い合わせるユーザ機器１２０への通信（ＳＭＳや電子メールメッセージなど）を送ることができる。またユーザ機器１２０への通信は、後続の番組の料金も提供しうる。制御論理３３０は、通信論理３１０を介して、ユーザ機器１１０に通信を送ることができる。ユーザ機器１１０は、通信を受け取り、その通信をディスプレイ５４０に出力しうる。
【００６２】
顧客は、応答を提供するために立ち上がってトランザクション機器１２０に近づかなくとも、単に、ユーザ機器１１０を介してメッセージに応答し、次の番組を受け取ることができる。上記の例と同様に、顧客が肯定的応答を提供する（例えば、次の番組を注文する）場合には、トランザクション機器１２０は、トランザクション機器１２０に一時的に記憶されうる以前に供給されたユーザ情報（クレジットカードやデビットカードなど）を使用して顧客に請求してよい。
【００６３】
さらに別の例として、ある実施態様では、トランザクション機器１２０は、顧客が、ユーザ機器１１０にダウンロードされうる楽曲、アルバム、電子ブック（ｅｂｏｏｋ）、映画などを購入しうる自動販売機と関連付けられていてもよい。この場合、ユーザ機器１１０のところの顧客は、例えば映画などを購入するためにトランザクション機器１２０とのリンク（ＮＦＣリンクなど）を確立しうる。トランザクション機器１２０は映画をユーザ機器１１０にダウンロードしうる。
【００６４】
顧客が映画を受け取り、映画の支払いを行った後で、顧客は（例えば、列車に乗っていて、自宅でなど）ユーザ機器１１０によって映画を観るものと仮定する。所定の期間（２時間など）の経過後に、制御論理３３０は、ユーザが次の映画、楽曲、電子ブックなどを購入したいかどうか問い合わせるユーザ機器１１０への通信を送ることができる。所定の期間は、購入されたメディアの時間長に基づくものとすることができる。例えば、顧客が、２時間の時間長である動きを購入した場合、トランザクション機器１２０は、最初の購入から約２と１／２時間の後にユーザ機器に追い掛けの通信を送ってもよい。これに対して、顧客が６０分の時間長であるアルバムを購入した場合、トランザクション機器１２０はその通信を、最初の購入から約７５分後に送ってもよい。どちらの場合にも、顧客は、単に通信に応答するだけでよく、顧客が肯定的に応答する場合には、トランザクション機器１２０は、例えばネットワーク１３０を介してユーザ機器１１０に購入されたコンテンツをダウンロードし、またはストリーミングしうる。トランザクション機器１２０は、次いで、ユーザにいかなる機密情報（クレジットカード情報やデビットカード情報など）の提供も要求せずに、顧客に購入コンテンツの料金を請求しうる。
【００６５】
前述の実施態様では、ユーザ機器１１０とトランザクション機器１２０との間の最初の情報転送は、ＮＦＣを介して実施されるものとして説明されている。別の実施態様では、ユーザ機器１１０とトランザクション機器１２０との間の最初の情報転送は、Ｂｌｕｅｔｏｏｔｈ、無線周波数識別（ＲＦＩＤ：ｒａｄｉｏ  ｆｒｅｑｕｅｎｃｙ  ｉｄｅｎｔｉｆｉｃａｔｉｏｎ）などといった他の無線の機構またはプロトコルによって行われてもよい。加えて、ある実施態様では、最初の情報の無線転送は、最初のトランザクションのセキュリティを高めるために他のセキュリティプロトコルまたは機構も含みうる。さらに別の実施態様では、最初の情報転送は、有線機構によって提供されうる。例えば、ユーザ機器１１０のところの顧客は、例えば、トランザクション機器１２０と情報（支払い情報など）を交換するのに、例えば、ユニバーサル・シリアル・バス（ＵＳＢ：ｕｎｉｖｅｒｓａｌ  ｓｅｒｉａｌ  ｂｕｓ）インターフェースによってユーザ機器１１０をトランザクション機器１２０に物理的に接続してもよい。
【００６６】
これらの実施態様のいずれにおいても、最初のトランザクションはセキュアなやり方で実行され、後続の通信／トランザクションは、より安全性の低い機構によって行われうる。例えば、前述の実施態様では、最初のトランザクションは、ユーザ機器１１０とトランザクション機器１２０との密結合によって行われた。ユーザ機器１１０とトランザクション機器１２０との間の情報の伝送と関連付けられた密結合および低電力の結果として、最初のトランザクションはセキュアである。すなわち、機密情報は別の関係者によって容易に傍受されえない。しかし、トランザクション機器１２０とユーザ機器１１０との間の後続の通信は、追加のセキュリティ措置を必要とせずに通常のネットワーク（ネットワーク１３０など）上で行われうる。
【００６７】
加えて、トランザクション機器１２０からユーザ機器１１０への後続の通信は、上記では、ＳＭＳメッセージといったテキストベースの通信であるものとして説明した。別の実施態様では、トランザクション機器１２０は、ユーザ機器１１０への電子メールメッセージまたは他の種類のテキストベースのメッセージ（ページなど）を送ってもよい。さらに別の実施態様では、トランザクション機器１２０は、ユーザ機器１１０向けの電話呼び出しを行ってもよい。そのような実施態様では、トランザクション機器１２０は、顧客が追加購入を行いたいかどうか、追加時間分の支払いをしたいかどうかなどを問い合わせるオーディオメッセージを生成しうる。
【００６８】
これらの実施態様のいずれでも、トランザクションは、セキュアな方法（セキュアなリンクなど）によって開始されてよく、後続の、または追い掛けの通信は、同じレベルのセキュリティを必要とせずに、例えば、ユーザ機器１１０がもはやトランザクション機器１２０の近くに位置しなくなった状況で行われうる。これらの場合、顧客は、単に、追加の製品またはサービスを購入するのに肯定応答を提供するだけでよい。
結論
【００６９】
本明細書で説明した実施態様は、ユーザ機器が、最初の購入を行うときに、セキュアなやり方でトランザクション機器と通信することを可能にする。それ以後、トランザクション機器は、追加購入と関連付けられた追い掛けのプロンプトまたはメッセージを提供することができ、顧客は単に後続の購入に同意し、またはこれを断るだけでよい。これは、購入を行うことに関して利便性およびセキュリティの向上を提供しうる。
【００７０】
本明細書で述べた実施形態の以上の説明は、図示および説明を提供するものであるが、網羅的であることも、本発明を開示通りの形態だけに限定することも意図するものでもない。改変形態および変形形態は、上記の教示を鑑みれば可能であり、本発明の実施により得られる場合もある。
【００７１】
例えば、各態様は、以上では主に、最初の購入／トランザクションがユーザ機器１１０とトランザクション機器１２０との密結合によって達成されるトランザクションを実行することに関して説明されている。他の実施態様では、顧客がトランザクション機器１２０とのアカウントを有していてもよく、最初の購入許可が、ＳＭＳメッセージ、電子メールメッセージなどといった通信によって行われてもよい。例えば、ユーザ機器１１０は、最初のトランザクションを許可するのに、ＳＭＳまたは電子メールを介してトランザクション機器１１０と通信してもよい。一例として、ユーザ機器１１０は、駐車場／車庫での駐車料金の顧客への請求を許可するために、駐車場／車庫と関連付けられたトランザクション機器１２０に通信を送ってもよい。この場合、トランザクション機器１２０からの後続の通信または追い掛けの通信も、ＳＭＳ、電子メールなどを使用してユーザ機器１１０に送られてよい。
【００７２】
加えて、ある実施態様では、ユーザ機器１１０は、トランザクション機器１２０を運用するサービス提供者と関連付けられたアプリケーションも含んでいてもよい。この実施態様では、ユーザ機器１１０上のアプリケーションは、トランザクション機器１２０から通知を受け取り、そのような通知に応答するためのインターフェース（グラフィカル・ユーザ・インターフェースなど）を提供しうる。そのような実施態様では、顧客の個人情報（クレジットカード情報やデビットカード情報など）は、当該情報が、ユーザ機器１１０上のアプリケーションとトランザクション機器１２０との間のセキュアな通信によってトランザクション機器１２０に事前に提供されうるため、トランザクションを開始するためにトランザクション機器１２０に提供されなくてもよい。
【００７３】
加えて、前述していないが、ある実施態様では、トランザクション機器１２０は、ユーザ機器１１０に、後続の通信または追い掛けの通信を送るための割増金を請求してもよい。例えば、顧客は、顧客が追い掛けの通信、例えば、顧客の駐車時間が間もなく満了することを指示する通信などによる通知を受け取るように、製品またはサービスの料金に加えて少額の料金（１ドル未満など）を請求されうる。
【００７４】
さらに、以上で説明したのはごく少数の例にすぎない。前述の特徴は、他の実施態様またはシナリオで使用することもできるはずであることを理解すべきである。例えば、トランザクション機器１２０は、顧客が様々なメディアを購入し、または借りるビデオ・レンタル・ショップや図書館と関連付けることもできるはずである。そのような実施態様では、トランザクション機器１２０は、顧客に、顧客の映画または本が返却期限を過ぎているという督促を送り、任意選択で顧客に、メディアが顧客に所持されている追加時間の料金を請求するのに使用されうる。あるシナリオでは、例えば、トランザクション機器１２０が図書館と関連付けられているときに、最初のトランザクション（本を借りるなど）は料金を伴わない場合もある。
【００７５】
加えて、図４に関連して一連の動作が説明されているが、各動作の順序は、本発明と適合する他の実施態様では異なっていてもよい。さらに、非従属的動作が並列に実行されてもよい。
【００７６】
また、本発明の各態様は、前述のように、コンピュータ機器、セルラ通信機器／システム、メディア再生機器、方法、および／またはコンピュータプログラム製品において実施されうることも当業者には明らかであろう。したがって、本発明の態様は、ハードウェアとして具現化されてもよく、かつ／または（ファームウェア、常駐ソフトウェア、マイクロコードなどを含む）ソフトウェアとして具現化されてもよい。さらに、本発明の態様は、命令実行システムが使用するための、または命令実行システムと接続された媒体において具現化されたコンピュータ使用可能またはコンピュータ可読のプログラムコードを有するコンピュータ使用可能またはコンピュータ可読の記憶媒体上のコンピュータプログラム製品の形を取ってもよい。本発明の原理と適合する態様を実施するのに使用される実際のソフトウェアコードまたは専用制御ハードウェアは、本発明を限定するものではない。よって、各態様の動作および挙動は特定のソフトウェアコードを参照せずに説明したが、当業者であれば、本明細書の説明に基づいて各態様を実施するようにソフトウェアを設計し、ハードウェアを制御することができるはずであることが理解される。
【００７７】
さらに、本発明のいくつかの部分は、１つもしくは複数の機能を果たす「論理」として実施されうる。この論理は、プロセッサ、マイクロプロセッサ、ＡＳＩＣ、ＦＰＧＡもしくは他の処理論理回路といったハードウェア、ソフトウェア、またはハードウェアとソフトウェアの組み合わせを含みうる。
【００７８】
「ｃｏｍｐｒｉｓｅｓ／ｃｏｍｐｒｉｓｉｎｇ」という用語は、本明細書で使用されるときには、記載される特徴、整数、ステップ、または構成要素の存在を指定すると解釈されるが、１つもしくは複数の他の特徴、整数、ステップ、構成要素、またはこれらの群の存在または追加を除外するものではないことを強調すべきである。
【００７９】
本出願の説明で使用したいかなる要素、動作、あるいは命令も、そのように明記しない限り、本発明にとって不可欠なもの、または本質的なものであると解釈すべきではない。また、本明細書で使用する場合、冠詞「ａ」は、１つもしくは複数の項目を含むことが意図されるものである。さらに、「ｂａｓｅｄ  ｏｎ（〜に基づいて）」という句は、本明細書で使用する場合、特に明記しない限り、「ｂａｓｅｄ，  ａｔ  ｌｅａｓｔ  ｉｎ  ｐａｒｔ，  ｏｎ（少なくとも一部は〜に基づいて）」を意味することが意図されるものである。
【００８０】
本発明の範囲は、特許請求の範囲およびその均等物によって定義されるものである。
【図１】
2014517379.tif 000003
【図２】
2014517379.tif 000004
【図３】
2014517379.tif 000005
【図４】
2014517379.tif 000006
【図５】
2014517379.tif 000007
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
トランザクション機器と、前記トランザクション機器に近接して位置するモバイル機器との間で通信リンクを確立する工程であって、前記トランザクション機器は財貨もしくはサービスを提供するエンティティと関連付けられている、リンクを確立する工程と、
前記トランザクション機器が、前記財貨もしくはサービスに対する第１の支払いについて前記モバイル機器から許可を受け取る工程と、
前記トランザクション機器が、前記モバイル機器から前記許可を受け取った後で前記モバイル機器に通信を送る工程であって、前記通信が送られるときに、前記モバイル機器は、前記トランザクション機器に近接して位置しない、前記通信を送る工程と、
前記トランザクション機器が、前記通信に応答して、第２の支払いについて前記モバイル機器から許可を受け取る工程と
を含む方法。
【請求項２】
前記リンクを確立する工程は近距離通信リンクを確立する工程を含む、請求項１に記載の方法。
【請求項３】
前記通信を送る工程は、
前記モバイル機器にテキストベースのメッセージを送る工程を含み、
前記テキストベースのメッセージは、ショート・メッセージ・サービス・メッセージまたは電子メールメッセージのうちの少なくとも１つを含む、請求項１または２に記載の方法。
【請求項４】
前記通信を送る工程は、
前記モバイル機器にオーディオメッセージを送る工程を含む、請求項１または２に記載の方法。
【請求項５】
前記トランザクション機器が、前記第１の支払いが期限と関連付けられているかどうか判定する工程と、
前記第１の支払いが期限と関連付けられていると判定したことに応答して前記通信を生成する工程とをさらに含み、
前記通信を送る前記工程は、
前記期限に先立って前記生成された通信を送る工程を含む、請求項１〜４のいずれか一項に記載の方法。
【請求項６】
前記トランザクション機器が、第２の財貨もしくはサービスを識別する工程をさらに含み、
前記送る工程は、
前記第２の財貨もしくはサービスを識別したことに応答して、前記第１の支払いについての許可を受け取ってから所定の時間後に前記モバイル機器に前記通信を送る工程を含み、
前記所定の時間は、前記第１の支払いと関連付けられた前記財貨もしくはサービスを閲覧し、または再生する時間長と関連付けられた少なくとも１つの時間量を含む、請求項１〜５のいずれか一項に記載の方法。
【請求項７】
前記トランザクション機器が、前記モバイル機器と関連付けられた電話番号または電子メールアドレスを識別する工程をさらに含み、
前記送る工程は、
前記識別された電話番号または電子メールアドレスに前記通信を送る工程を含み、
前記モバイル機器は携帯電話を含む、請求項１〜６のいずれか一項に記載の方法。
【請求項８】
モバイル機器と通信するように構成された通信インターフェースと、
処理論理と
を備え、前記処理論理は、
財貨もしくはサービスに対する第１の支払いについて、前記モバイル機器がシステムに近接して位置するときに、前記モバイル機器から許可を受け取り、
前記モバイル機器から前記許可を受け取った後で前記モバイル機器に通信を送るように構成されており、前記通信が送られるときに、前記モバイル機器はシステムに近接して位置せず、
前記処理論理は、
前記通信に応答して第２の支払いについて前記モバイル機器から許可を受け取るように構成されている、システム。
【請求項９】
前記通信インターフェースは近距離通信インターフェースを含む、請求項８に記載のシステム。
【請求項１０】
前記処理論理は、
前記財貨もしくはサービス、または前記財貨もしくはサービスと関連付けられた時間の少なくとも１つに基づいてテキストベースの通信を生成するようにさらに構成されており、
通信を送るときに、前記処理論理は、
前記モバイル機器に前記テキストベースのメッセージを送るように構成されている、請求項８または９に記載のシステム。
【請求項１１】
通信を送るときに、前記処理論理は、
前記モバイル機器にオーディオメッセージを送るように構成されている、請求項８または９に記載のシステム。
【請求項１２】
前記処理論理は、
前記第１の支払いが期限と関連付けられていると判定したことに応答して前記通信を生成するようにさらに構成されており、
前記通信を送るときに、前記処理論理は、
前記期限に先立って前記生成された通信を送るように構成されている、請求項８〜１１のいずれか一項に記載のシステム。
【請求項１３】
前記処理論理は、
前記モバイル機器がシステムに近接して位置するときに、前記モバイル機器と関連付けられた電話番号または電子メールアドレスを自動的に識別するようにさらに構成されており、
送るときに、前記処理論理は、
前記識別された電話番号または電子メールアドレスに前記通信を送るように構成されている、請求項８〜１２のいずれか一項に記載のシステム。
【請求項１４】
前記モバイル機器のユーザのアカウントと関連付けられた課金情報を記憶するように構成されたメモリをさらに備え、
前記処理論理は、
前記課金情報を使用して前記財貨もしくはサービスを提供すべきかどうか判定するようにさらに構成されている、請求項８〜１３のいずれか一項に記載のシステム。
【請求項１５】
命令のシーケンスが記憶されたコンピュータ可読メモリデバイスであって、前記命令は、少なくとも１つのプロセッサによって実行されると、前記少なくとも１つのプロセッサに、
財貨もしくはサービスの提供と関連付けられたシステムに近接して位置するモバイル機器と通信させ、
前記財貨もしくはサービスの購入、または受け取りについての前記モバイル機器からの許可を受け取らせ、
前記モバイル機器から前記許可を受け取った後で前記モバイル機器に通信を送らせ、前記通信は、前記モバイル機器が前記システムに近接して位置しないときに送られ、
前記命令は、前記少なくとも１つのプロセッサに、
前記通信に応答して支払いについて前記モバイル機器から許可を受け取らせる
ものである、コンピュータ可読メモリデバイス。
【国際調査報告】
2014517379.tif 000008
2014517379.tif 000009